(57)【要約】【課題】音質を劣化させることなく、ヘッドホンのインピーダンスを検出可能とすること。【解決手段】ＤＡＰ１は、バイポーラトランジスタＱ１と電源Ｖ１との間に接続された抵抗Ｒ１と、バイポーラトランジスタＱ２と電源Ｖ２との間に接続された抵抗Ｒ２と、アナログ音声信号として、テスト信号がバイポーラトランジスタＱ１とバイポーラトランジスタＱ２に入力された場合の、抵抗Ｒ１と抵抗Ｒ２とで発生する電圧を検出する電圧検出回路１１と、を備える。【選択図】図２
2018042086.tif 000002
【特許請求の範囲】
【請求項１】
正側のアナログ音声信号を増幅する第１増幅器と、
負側のアナログ音声信号を増幅する第２増幅器と、
前記第１増幅器に正の電源電圧を供給する第１電源と、
前記第２増幅器に負の電源電圧を供給する第２電源と、
前記第１増幅器と前記第１電源との間に接続された第１抵抗と、
前記第２増幅器と前記第２電源との間に接続された第２抵抗と、
アナログ音声信号として、テスト信号が前記第１増幅器と前記第２増幅器とに入力された場合の、前記第１抵抗と前記第２抵抗とで発生する電圧を検出する電圧検出回路と、
を備えることを特徴とする音楽再生装置。
【請求項２】
前記電圧検出回路は、
一端が、前記第１電源と前記第１抵抗との間に接続され、他端が、第４抵抗の一端に接続された、第３抵抗と、
一端が、前記第３抵抗の他端に接続され、他端が、前記第２抵抗と前記第２増幅器との間に接続された、前記第４抵抗と、
一端が、前記第１抵抗と前記第１増幅器との間に接続され、他端が、第６抵抗の一端に接続された、第５抵抗と、
一端が、前記第５抵抗の他端に接続され、他端が、前記第２電源と前記第２抵抗と、の間に接続された、前記第６抵抗と、
を有することを特徴とする請求項１に記載の音楽再生装置。
【請求項３】
前記電圧検出回路が検出した電圧を電流に変換する電圧電流変換回路と、
前記電圧電流変換回路が変換した電流を積分する積分回路と、
をさらに備えることを特徴とする請求項１又は２に記載の音楽再生装置。
【請求項４】
前記電圧電流変換回路は、前記第３抵抗と前記第４抵抗との間と、前記第５抵抗と前記第６抵抗との間と、に接続されていることを特徴とする請求項３に記載の音楽再生装置。
【請求項５】
一端が、前記第３抵抗と前記第４抵抗との間に接続され、他端が、前記電圧電流変換回路に接続された、第１コンデンサと、
一端が、前記第１コンデンサと前記電圧電流変換回路との間に接続され、他端が、接地電位に接続された、第７抵抗と、
一端が、前記第５抵抗と前記第６抵抗との間に接続され、他端が、前記電圧電流変換回路に接続された、第２コンデンサと、
一端が、前記第２コンデンサと前記電圧電流変換回路との間に接続され、他端が、接地電位に接続された、第８抵抗と、をさらに備えることを特徴とする請求項４に記載の音楽再生装置。
【請求項６】
前記積分回路による積分値と、所定の閾値と、を比較し、前記積分値が、前記所定の閾値以上である場合に、検出信号を供給する比較器をさらに備えることを特徴とする請求項３〜５のいずれか１項に記載の音楽再生装置。
【請求項７】
前記比較器が供給した前記検出信号を保持する保持回路をさらに備えることを特徴とする請求項６に記載の音楽再生装置。
【請求項８】
自装置への端子の挿入を検出する端子検出回路と、
制御部と、をさらに備え、
前記制御部は、前記端子検出回路が、前記端子の挿入を検出した場合に、前記テスト信号を前記第１増幅器と前記第２増幅器とに入力することを特徴とする請求項１〜７のいずれか１項に記載の音楽再生装置。
【請求項９】
前記比較器が、前記検出信号を供給する場合に、ゲインをローゲインに設定し、前記比較器が、前記検出信号を供給しない場合に、ゲインをハイゲインに設定する制御部をさらに備えることを特徴とする請求項６又は７に記載の音楽再生装置。
【請求項１０】
一端が、前記第１抵抗と前記第１増幅器との間に接続され、他端が、接地電位に接続されたデカップリング用の第３コンデンサと、
一端が、前記第２抵抗と前記第２増幅器との間に接続され、他端が、接地電位に接続されたデカップリング用の第４コンデンサと、をさらに備え、
前記第１抵抗と前記第２抵抗とは、デカップリング用であることを特徴とする請求項１〜９のいずれか１項に記載の音楽再生装置。
【発明の詳細な説明】
【技術分野】
【０００１】
本発明は、ヘッドホンに音声信号を出力する音楽再生装置に関する。
【背景技術】
【０００２】
音声を聴取するために使用されるヘッドホンにおいては、ヘッドホンによって、インピーダンスが異なる。このため、ヘッドホンのインピーダンスに応じて、音楽再生装置のゲインを変更する必要がある。音楽再生装置のゲインを自動で変更するために、ヘッドホンのインピーダンスを検出する技術が開示されている。特許文献１には、信号ラインに直列抵抗を設け、抵抗の電圧からヘッドホンのインピーダンスを測定することが開示されている。また、特許文献２には、ヘッドホンジャックから直流電圧を印加し、ヘッドホン端子の電圧をＡ／Ｄコンバーターで読み取ることが開示されている。
【先行技術文献】
【特許文献】
【０００３】
【特許文献１】特許第３６５９３４９号公報
【特許文献２】特開２０１３−１２６１４２号公報
【発明の概要】
【発明が解決しようとする課題】
【０００４】
上述のように、音声信号ラインに直列抵抗を設けたり、インピーダンス検出用のＩＣを設けたりすると、音質が劣化するという問題がある。
【０００５】
本発明の目的は、音質を劣化させることなく、ヘッドホンのインピーダンスを検出可能とすることである。
【０００６】
第１の発明の音楽再生装置は、正側のアナログ音声信号を増幅する第１増幅器と、負側のアナログ音声信号を増幅する第２増幅器と、前記第１増幅器に正の電源電圧を供給する第１電源と、前記第２増幅器に負の電源電圧を供給する第２電源と、前記第１増幅器と前記第１電源との間に接続された第１抵抗と、前記第２増幅器と前記第２電源との間に接続された第２抵抗と、アナログ音声信号として、テスト信号が前記第１増幅器と前記第２増幅器とに入力された場合の、前記第１抵抗と前記第２抵抗とで発生する電圧を検出する電圧検出回路と、を備えることを特徴とする。
【０００７】
本発明では、電圧検出回路は、アナログ音声信号として、テスト信号が第１増幅器と第２増幅器とに入力された場合の、第１抵抗と第２抵抗とで発生する電圧を検出する。また、第１抵抗と第２抵抗とで発生する電圧から、ヘッドホンのインピーダンスを算出可能である。本発明では、電源ラインにのみ、ヘッドホンのインピーダンスを検出するための検出手段が設けられるため、音声信号ラインに検出手段を設ける必要がない。これにより、音質を劣化させることなく、ヘッドホンのインピーダンスを検出することができる。
【０００８】
また、正側の第１抵抗と負側の第２抵抗とで発生する電圧が検出されるため、検出感度が高い。
【０００９】
第２の発明の音楽再生装置は、第１の発明の音楽再生装置において、前記電圧検出回路は、一端が、前記第１電源と前記第１抵抗との間に接続され、他端が、第４抵抗の一端に接続された、第３抵抗と、一端が、前記第３抵抗の他端に接続され、他端が、前記第２抵抗と前記第２増幅器との間に接続された、前記第４抵抗と、一端が、前記第１抵抗と前記第１増幅器との間に接続され、他端が、第６抵抗の一端に接続された、第５抵抗と、一端が、前記第５抵抗の他端に接続され、他端が、前記第２電源と前記第２抵抗と、の間に接続された、前記第６抵抗と、を有することを特徴とする。
【００１０】
第３の発明の音楽再生装置は、第１又は第２の発明の音楽再生装置において、前記電圧検出回路が検出した電圧を電流に変換する電圧電流変換回路と、前記電圧電流変換回路が変換した電流を積分する積分回路と、をさらに備えることを特徴とする。
【００１１】
本発明では、積分回路は、電圧電流変換回路が変換した電流を積分する。従って、積分回路による積分値に基づいて、ヘッドホンが所定のインピーダンス以下であるか否かを判断することができる。
【００１２】
第４の発明の音楽再生装置は、第３の発明の音楽再生装置において、前記電圧電流変換回路は、前記第３抵抗と前記第４抵抗との間と、前記第５抵抗と前記第６抵抗との間と、に接続されていることを特徴とする。
【００１３】
第５の発明の音楽再生装置は、第４の発明の音楽再生装置において、一端が、前記第３抵抗と前記第４抵抗との間に接続され、他端が、前記電圧電流変換回路に接続された、第１コンデンサと、一端が、前記第１コンデンサと前記電圧電流変換回路との間に接続され、他端が、接地電位に接続された、第７抵抗と、一端が、前記第５抵抗と前記第６抵抗との間に接続され、他端が、前記電圧電流変換回路に接続された、第２コンデンサと、一端が、前記第２コンデンサと前記電圧電流変換回路との間に接続され、他端が、接地電位に接続された、第８抵抗と、をさらに備えることを特徴とする。
【００１４】
本発明では、第１コンデンサと第７抵抗とによるフィルター回路と、第２コンデンサと第８抵抗とによるフィルター回路と、により、定常時に流れているバイアス分をキャンセルするため、低域がカットされる。
【００１５】
第６の発明の音楽再生装置は、第３〜第５のいずれかの発明の音楽再生装置において、前記積分回路による積分値と、所定の閾値と、を比較し、前記積分値が、前記所定の閾値以上である場合に、検出信号を供給する比較器をさらに備えることを特徴とする。
【００１６】
本発明では、比較器は、積分値が、所定の閾値以上である場合に、検出信号を供給する。従って、比較器が、検出信号を供給した場合に、ヘッドホンが所定のインピーダンス以下であると判断することができる。
【００１７】
第７の発明の音楽再生装置は、第６の発明の音楽再生装置において、前記比較器が供給した前記検出信号を保持する保持回路をさらに備えることを特徴とする。
【００１８】
第８の発明の音楽再生装置は、第１〜第７のいずれかの発明の音楽再生装置において、自装置への端子の挿入を検出する端子検出回路と、制御部と、をさらに備え、前記制御部は、前記端子検出回路が、前記端子の挿入を検出した場合に、前記テスト信号を前記第１増幅器と前記第２増幅器とに入力することを特徴とする。
【００１９】
本発明では、制御部は、端子検出回路が、端子の挿入を検出した場合に、テスト信号を第１増幅器と第２増幅器とに入力する。これにより、端子が音楽再生装置に接続されたときに、ヘッドホンのインピーダンスを検出することができる。
【００２０】
第９の発明の音楽再生装置は、第６又は第７の発明の音楽再生装置において、前記比較器が、前記検出信号を供給する場合に、ゲインをローゲインに設定し、前記比較器が、前記検出信号を供給しない場合に、ゲインをハイゲインに設定する制御部をさらに備えることを特徴とする。
【００２１】
本発明では、制御部は、検出信号の有無に応じて、ゲインをハイゲイン、又は、ローゲインに設定する。これにより、例えば、欧州音圧規制に対応したゲイン設定を行うことができる。
【００２２】
第１０の発明の音楽再生装置は、第１〜第９のいずれかの発明の音楽再生装置において、一端が、前記第１抵抗と前記第１増幅器との間に接続され、他端が、接地電位に接続されたデカップリング用の第３コンデンサと、一端が、前記第２抵抗と前記第２増幅器との間に接続され、他端が、接地電位に接続されたデカップリング用の第４コンデンサと、をさらに備え、前記第１抵抗と前記第２抵抗とは、デカップリング用であることを特徴とする。
【００２３】
本発明では、インピーダンス検出用の抵抗として、デカップリング用の抵抗を用いている。このため、ヘッドホンのインピーダンス検出のために、新たな部品を追加する必要がない。
【発明の効果】
【００２４】
本発明によれば、音質を劣化させることなく、ヘッドホンのインピーダンスを検出することができる。
【図面の簡単な説明】
【００２５】
【図１】本発明の実施形態に係るデジタルオーディオプレーヤーの構成を示すブロック図である。
【図２】増幅回路及びその周辺回路を示す図である。
【図３】インピーダンスが３２Ωのヘッドホンが接続され、テスト信号が入力された場合のシミュレーション結果を示すグラフである。
【図４】インピーダンスが６２Ωのヘッドホンが接続され、テスト信号が入力された場合のシミュレーション結果を示すグラフである。
【発明を実施するための形態】
【００２６】
以下、本発明の実施形態について説明する。図１は、本発明の実施形態に係るデジタルオーディオプレーヤー（以下、「ＤＡＰ」という。）の構成を示すブロック図である。ＤＡＰ１（音楽再生装置）は、ヘッドホン１０１にアナログオーディオデータ（アナログ音声信号）を出力する。ヘッドホン１０１は、アナログオーディオデータに基づいて、音声を外部に出力する。
【００２７】
図１に示すように、ＤＡＰ１は、ＣＰＵ２、記憶部３、表示部４、操作部５、ＤＳＰ６、Ｄ／Ａコンバーター（以下、「ＤＡＣ」という。）７、増幅回路８、無線モジュール９、ＵＳＢインターフェース（以下、「ＵＳＢ  Ｉ／Ｆ」という。）１０を備える。
【００２８】
ＣＰＵ（Central Processing Unit）２（制御部）は、制御プログラム、ＯＳプログラム、アプリケーションプログラムに従って、ＤＡＰ１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、アプリケーションプログラム等のプログラム、デジタルオーディオデータ等の各種データを記憶するフラッシュメモリから構成されている。なお、記憶部３は、例示する構成に限られず、ＨＤＤ（Hard Disk Drive）等を含んでいてもよい。
【００２９】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定などを行うことが可能である。
【００３０】
ＤＳＰ（Digital Signal Processor）６は、デジタルオーディオデータに、イコライザー処理等の信号処理を行う。ＤＡＣ７は、デジタルオーディオデータ（デジタル音声信号）をアナログオーディオデータ（アナログ音声信号）にＤ／Ａ変換する。増幅回路８は、ＤＡＣ７がＤ／Ａ変換したアナログオーディオデータを増幅し、ヘッドホン１０１に出力する。無線モジュール９は、Ｂｌｕｅｔｏｏｔｈ（登録商標）規格、Ｗｉ−Ｆｉ規格に従った無線通信を行うためのものである。ＵＳＢ  Ｉ／Ｆ１０は、ＵＳＢ規格に従った通信を行うためのものである。
【００３１】
図２は、増幅回路及びその周辺回路を示す図である。図２に示すように、ＤＡＰ１は、さらに、電源Ｖ１、Ｖ２、電圧検出回路１１、抵抗Ｒ１、Ｒ２、電圧電流変換回路１２、積分回路１３、比較器１４、保持回路１５、抵抗Ｒ７、Ｒ８、Ｒ１０〜Ｒ１３、コンデンサＣ１〜Ｃ４、Ｃ６を備える。なお、図２では、ヘッドホン１０１を負荷抵抗ＲＬとして示している。
【００３２】
増幅回路８は、バイポーラトランジスタＱ１、Ｑ２を有する。バイポーラトランジスタＱ１（第１増幅器）は、正側のアナログオーディオデータ（アナログ音声信号）を増幅する。バイポーラトランジスタＱ１は、ｎｐｎ型のバイポーラトランジスタである。バイポーラトランジスタＱ１のベースに、アナログオーディオデータが入力される。バイポーラトランジスタＱ１のコレクタは、正側の電源Ｖ１に接続されている。バイポーラトランジスタＱ１のエミッタは、エミッタ抵抗である抵抗Ｒ１０を介して、ヘッドホンＲＬに接続されている。
【００３３】
バイポーラトランジスタＱ２（第２増幅器）は、負側のアナログオーディオデータ（アナログ音声信号）を増幅する。バイポーラトランジスタＱ２は、ｐｎｐ型のバイポーラトランジスタである。バイポーラトランジスタＱ２のベースに、アナログオーディオデータが入力される。バイポーラトランジスタＱ２のコレクタは、負側の電源Ｖ２に接続されている。バイポーラトランジスタＱ２のエミッタは、エミッタ抵抗である抵抗Ｒ１１を介して、ヘッドホンＲＬに接続されている。
【００３４】
電源Ｖ１（第１電源）は、バイポーラトランジスタＱ１に、正の電源電圧を供給する。電源Ｖ２（第２電源）は、バイポーラトランジスタＱ２に、負の電源電圧を供給する。抵抗Ｒ１（第１抵抗）は、バイポーラトランジスタＱ１と電源Ｖ１との間に接続されている。抵抗Ｒ２（第２抵抗）は、バイポーラトランジスタＱ２と電源Ｖ２との間に接続されている。抵抗Ｒ１、Ｒ２は、デカップリング用の抵抗であるが、ヘッドホンＲＬのインピーダンス検出用の抵抗も兼ねている。
【００３５】
コンデンサＣ３（第３コンデンサ）、コンデンサＣ４（第４コンデンサ）は、デカップリング用のコンデンサである。コンデンサＣ３の一端は、抵抗Ｒ１とバイポーラトランジスタＱ１との間に接続されている。コンデンサＣ３の他端は、接地電位に接続されている。コンデンサＣ４の一端は、抵抗Ｒ２とバイポーラトランジスタＱ２との間に接続されている。コンデンサＣ４の他端は、接地電位に接続されている。
【００３６】
電圧検出回路１１は、アナログ音声信号として、テスト信号がバイポーラトランジスタＱ１とバイポーラトランジスタＱ２とに入力された場合の、抵抗Ｒ１と抵抗Ｒ２とで発生する電圧を検出する。電圧検出回路１１は、抵抗Ｒ３（第３抵抗）、抵抗Ｒ４（第４抵抗）、抵抗Ｒ５（第５抵抗）、抵抗Ｒ６（第６抵抗）を有する。抵抗Ｒ３の一端は、電源Ｖ１と抵抗Ｒ１との間に接続されている。抵抗Ｒ３の他端は、抵抗Ｒ４の一端に接続されている。抵抗Ｒ４の一端は、抵抗Ｒ３の他端に接続されている。抵抗Ｒ４の他端は、抵抗Ｒ２とバイポーラトランジスタＱ２との間に接続されている。
【００３７】
抵抗Ｒ５の一端は、抵抗Ｒ１とバイポーラトランジスタＱ１との間に接続されている。抵抗Ｒ５の他端は、抵抗Ｒ６の一端に接続されている。抵抗Ｒ６の一端は、抵抗Ｒ５の他端に接続されている。抵抗Ｒ６の他端は、電源Ｖ２と抵抗Ｒ２との間に接続されている。
【００３８】
電圧電流変換回路１２は、電圧検出回路１１が検出した電圧を電流に変換する。電圧電流変換回路１２は、抵抗Ｒ３と抵抗Ｒ４との間と、抵抗Ｒ５と抵抗Ｒ６との間と、に接続されている。電圧電流変換回路１２には、抵抗Ｒ３、Ｒ５を介して、正側の電圧が入力される。また、電圧電流変換回路１２には、抵抗Ｒ４、Ｒ６を介して、負側の電圧が入力される。
【００３９】
コンデンサＣ１（第１コンデンサ）の一端は、抵抗Ｒ３と抵抗Ｒ４との間に接続されている。コンデンサＣ１の他端は、電圧電流変換回路１２に接続されている。抵抗Ｒ７（第７抵抗）の一端は、コンデンサＣ１と電圧電流変換回路１２との間に接続されている。抵抗Ｒ７の他端は、接地電位に接続されている。コンデンサＣ１と抵抗Ｒ７とにより、フィルター回路が構成されている。
【００４０】
コンデンサＣ２（第２コンデンサ）の一端は、抵抗Ｒ５と抵抗Ｒ６との間に接続されている。コンデンサＣ２の他端は、電圧電流変換回路１２に接続されている。抵抗Ｒ８（第８抵抗）の一端は、コンデンサＣ２と電圧電流変換回路１２との間に接続されている。抵抗Ｒ８の他端は、接地電位に接続されている。コンデンサＣ２と抵抗Ｒ８とにより、フィルター回路が構成されている。コンデンサＣ１と抵抗Ｒ７とによるフィルター回路と、コンデンサＣ２と抵抗Ｒ８とによるフィルター回路と、により、定常時に流れているバイアス分をキャンセルするため、低域がカットされる。
【００４１】
積分回路１３は、電圧電流変換回路１２が変換した電流を積分する。比較器１４は、積分回路１３による積分値と、所定の閾値と、を比較する。そして、比較器１４は、積分値が所定の閾値以上である場合に、検出信号を供給する。ここで、積分値が大きい場合、インピーダンスが低いヘッドホンが接続され、抵抗Ｒ１、Ｒ２で発生する電圧が大きくなっている。積分値が小さい場合、インピーダンスが高いヘッドホンＲＬが接続され、抵抗Ｒ１、Ｒ２で発生する電圧が小さくなっている。例えば、閾値は、インピーダンスが３２ΩのヘッドホンＲＬが接続された場合の積分値と、インピーダンスが６２ΩのヘッドホンＲＬが接続された場合の積分値と、の間の値に設定される。この場合、比較器１４は、インピーダンスが３２ΩのヘッドホンＲＬが接続されている場合、検出信号として、ハイレベルの信号を供給する。保持回路１５は、比較器１４が供給した検出信号を保持する。
【００４２】
ＤＡＰ１は、図示しないが、さらに、ＤＡＰ１へのヘッドホン端子の挿入を検出する端子検出回路を備えている。ＣＰＵ２は、端子検出回路が、ヘッドホン端子の挿入を検出した場合に、テスト信号をバイポーラトランジスタＱ１、Ｑ２に入力する。そして、ＣＰＵ２は、比較器１４が、検出信号を供給する場合に、ゲインをローゲインに設定する。また、ＣＰＵ２は、比較器１４が、検出信号を供給しない場合に、ゲインをハイゲインに設定する。
【００４３】
図３は、インピーダンスが３２ΩのヘッドホンＲＬが接続され、テスト信号が入力された場合のシミュレーション結果を示すグラフである。図３（ａ）は、コンデンサＣ５の充電電流を示すグラフである。横軸は、時間（ｍｓ）を示している。縦軸は、電流（ｍＡ）を示している。図３（ｂ）は、積分回路１３による積分電圧と比較器１４の出力とを示すグラフである。横軸は、時間（ｍｓ）を示している。縦軸は、電圧（Ｖ）を示している。図３（ｃ）は、テスト信号を示すグラフである。横軸は、時間（ｍｓ）を示している。縦軸は、電圧（Ｖ）を示している。
【００４４】
図３（ａ）に示すように、正側のテスト信号と、負側のテスト信号と、により、２回の充電電流が発生している。そして、図３（ｂ）に示すように、２回目の充電電流による積分回路１３での積分により、比較器１４は、ハイレベルの信号（検出信号）を出力する。
【００４５】
図４は、インピーダンスが６２ΩのヘッドホンＲＬが接続され、テスト信号が入力された場合のシミュレーション結果を示すグラフである。図４（ａ）は、コンデンサＣ５の充電電流を示すグラフである。横軸は、時間（ｍｓ）を示している。縦軸は、電流（ｍＡ）を示している。図４（ｂ）は、積分回路１３による積分電圧と比較器１４の出力とを示すグラフである。横軸は、時間（ｍｓ）を示している。縦軸は、電圧（ｍＶ）を示している。図４（ｃ）は、テスト信号を示すグラフである。横軸は、時間（ｍｓ）を示している。縦軸は、電圧（Ｖ）を示している。
【００４６】
図４（ａ）に示すように、正側のテスト信号と、負側のテスト信号と、により、２回の充電電流が発生している。しかしながら、充電電流が小さいため、図４（ｂ）に示すように、積分回路１３での積分電圧が所定の閾値以上とならず、比較器１４からの出力は、ローレベルである。
【００４７】
以上説明したように、本実施形態では、電圧検出回路１１は、アナログ音声信号として、テスト信号がバイポーラトランジスタＱ１とバイポーラトランジスタＱ２とに入力された場合の、抵抗Ｒ１と抵抗Ｒ２とで発生する電圧を検出する。また、抵抗Ｒ１と抵抗Ｒ２とで発生する電圧から、ヘッドホン１０１のインピーダンスを算出可能である。本実施形態では、電源ラインにのみ、ヘッドホン１０１のインピーダンスを検出するための検出手段が設けられるため、音声信号ラインに検出手段を設ける必要がない。これにより、音質を劣化させることなく、ヘッドホン１０１のインピーダンスを検出することができる。
【００４８】
また、正側の抵抗Ｒ１と負側の抵抗Ｒ２とで発生する電圧が検出されるため、検出感度が高い。
【００４９】
また、本実施形態では、積分回路１３は、電圧電流変換回路１２が変換した電流を積分する。従って、積分回路１３による積分値に基づいて、ヘッドホン１０１が所定のインピーダンス以下であるか否かを判断することができる。
【００５０】
また、本実施形態では、コンデンサＣ１と抵抗Ｒ７とによるフィルター回路と、コンデンサＣ２と抵抗Ｒ８とによるフィルター回路と、により、定常時に流れているバイアス分をキャンセルするため、低域がカットされる。
【００５１】
また、本実施形態では、比較器１４は、積分値が、所定の閾値以上である場合に、検出信号を供給する。従って、比較器１４が、検出信号を供給した場合に、ヘッドホン１０１が所定のインピーダンス以下であると判断することができる。
【００５２】
また、本実施形態では、ＣＰＵ２は、端子検出回路が、端子の挿入を検出した場合に、テスト信号をバイポーラトランジスタＱ１とバイポーラトランジスタＱ２とに入力する。これにより、端子がＤＡＰ１に接続されたときに、ヘッドホン１０１のインピーダンスを検出することができる。
【００５３】
また、本実施形態では、ＣＰＵ２は、検出信号の有無に応じて、ゲインをハイゲイン、又は、ローゲインに設定する。これにより、例えば、欧州音圧規制に対応したゲイン設定を行うことができる。
【００５４】
また、本実施形態では、インピーダンス検出用の抵抗として、デカップリング用の抵抗Ｒ１、Ｒ２を用いている。このため、ヘッドホン１０１のインピーダンス検出のために、新たな部品を追加する必要がない。
【００５５】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５６】
上述の実施形態においては、電圧検出回路１１が検出した電圧に基づいて、接続されたヘッドホン１０１が所定のインピーダンス以下であるか否かを判断している。これに替えて、電圧検出回路１１が検出した電圧をＡ／Ｄ変換し、ヘッドホン１０１のインピーダンスを算出するようになっていてもよい。また、算出したヘッドホン１０１のインピーダンスに基づいて、ゲイン設定を行うようになっていてもよい。
【００５７】
上述の実施形態においては、音楽再生装置として、ＤＡＰを例示した。これに限らず、スマートフォン、タブレットＰＣ、ＵＳＢ  ＤＡＣ等であってもよい。
【産業上の利用可能性】
【００５８】
本発明は、ヘッドホンに音声信号を出力する音楽再生装置に好適に採用され得る。
【符号の説明】
【００５９】
１  ＤＡＰ（音楽再生装置）
２  ＣＰＵ（制御部）
８  増幅回路
１１  電圧検出回路
１２  電圧電流変換回路
１３  積分回路
１４  比較器
１５  保持回路
Ｃ１  コンデンサ（第１コンデンサ）
Ｃ２  コンデンサ（第２コンデンサ）
Ｃ３  コンデンサ（第３コンデンサ）
Ｃ４  コンデンサ（第４コンデンサ）
Ｒ１  抵抗（第１抵抗）
Ｒ２  抵抗（第２抵抗）
Ｒ３  抵抗（第３抵抗）
Ｒ４  抵抗（第４抵抗）
Ｒ５  抵抗（第５抵抗）
Ｒ６  抵抗（第６抵抗）
Ｒ７  抵抗（第７抵抗）
Ｒ８  抵抗（第８抵抗）
Ｑ１  バイポーラトランジスタ（第１増幅器）
Ｑ２  バイポーラトランジスタ（第２増幅器）
Ｖ１  電源（第１電源）
Ｖ２  電源（第２電源）
１０１  ヘッドホン
【図１】
2018042086.tif 000003
【図２】
2018042086.tif 000004
【図３】
2018042086.tif 000005
【図４】
2018042086.tif 000006